(57)【要約】【課題】  ユーザが起動エラー要因を判断することが可能な画像形成装置を提供する。【解決手段】  着脱可能なメモリカードに書き込まれたプログラムからブートする、コピー機能、プリンタ機能、ファクシミリ機能、スキャナ機能のうち複数の機能を持つ複合機において、ブートプログラムが書き込まれたブート用メモリカードがカードスロットに挿入されていなく、起動できない場合に、その旨をＬＣＤに表示するＣＰＵ搭載型操作パネル１３を設けた。【選択図】  図１
2006015603.tif 000002
【特許請求の範囲】
【請求項１】
着脱可能なメモリカードに書き込まれた起動プログラムにより起動する画像形成装置において、メモリカードを挿入可能なカードスロットと、前記カードロットに起動プログラムが書き込まれた起動用メモリカードが挿入されていないことにより起動できない場合に、その旨を表示する表示手段とを備え、前記表示手段にはＬＣＤ表示部と制御部とが設けられていることを特徴とする画像形成装置。
【請求項２】
着脱可能なメモリカードに書き込まれた起動プログラムにより起動する画像形成装置において、メモリカードを挿入可能なカードスロットと、前記カードロットに起動プログラムが書き込まれた起動用メモリカードが挿入されていないことにより起動できない場合に、その旨を表示するＬＥＤ表示器が設けられている表示手段と、を備えていることを特徴とする画像形成装置。
【請求項３】
着脱可能なメモリカードに書き込まれた起動プログラムにより起動する画像形成装置において、メモリカードを挿入可能なカードスロットと、前記カードロットに起動プログラムが書き込まれた起動用メモリカードが挿入されていないことにより起動できない場合に、その旨を表示するＬＣＤ表示部が設けられている表示手段と、を備えていることを特徴とする画像形成装置。
【発明の詳細な説明】
【技術分野】
【０００１】
本発明は、画像形成装置に関わり、特に、メモリカードにより起動制御を行う場合に好適なものである。
【背景技術】
【０００２】
従来、コピー機能、プリンタ機能、ファクシミリ機能、スキャナ機能のうち複数の機能を併せ持つ画像形成装置（以下、複合機という）では、ブート（起動）プログラムは実装されているＲＯＭに格納されているのが一般的であるが、メモリカードに書き込まれたブートプログラムから起動するシステムも公知である。
特許文献１では、機器に接続されたメモリカードからＯＳを起動する技術が提案されている。また、特許文献２では、ブート用のＲＯＭを廃止し、機器に接続されたメモリカードより起動する技術が提案されている。また、特許文献３では、機器に接続されたメモリカードよりシステムを起動し、ＰＣＢ上のＲＯＭ内容を書き換える技術が提案されている。
【特許文献１】特開２００２−０８２８１０公報
【特許文献２】特開平０６−３４８５０４号公報
【特許文献３】特開平１１−２４２５９６号公報
【発明の開示】
【発明が解決しようとする課題】
【０００３】
メモリカードに書き込まれたブートプログラムから起動するシステムの場合、容易に着脱が可能であるというメモリカード特有の機能を考慮すると、カードスロットにブート用メモリカードが挿入されていない場合が考えられる。
この場合、ＣＰＵ搭載型の操作パネルが接続されている場合には、メインボードとのタイムアウトを待って起動エラーを表示するが、ユーザは何の要因で起動エラーになったかが分からないという不具合がある（エラー原因の特定ができない）。またＣＰＵ未搭載型の操作パネルが接続されている場合では、複合機に何も変化のないまま起動しないので、ユーザは何が起こっているかが分からないという不具合がある。
本発明は、ユーザが起動エラーの要因を判断することが可能な複合機を提供することを目的とする。
【課題を解決するための手段】
【０００４】
上記目的を達成するために、請求項１記載の発明は、着脱可能なメモリカードに書き込まれた起動プログラムにより起動する画像形成装置において、メモリカードを挿入可能なカードスロットと、前記カードロットに起動プログラムが書き込まれた起動用メモリカードが挿入されていないことにより起動できない場合に、その旨を表示する表示手段とを備え、前記表示手段にはＬＣＤ表示部と制御部とが設けられていることを特徴とする。
請求項２記載の発明は、着脱可能なメモリカードに書き込まれた起動プログラムにより起動する画像形成装置において、メモリカードを挿入可能なカードスロットと、前記カードロットに起動プログラムが書き込まれた起動用メモリカードが挿入されていないことにより起動できない場合に、その旨を表示するＬＥＤ表示器が設けられている表示手段と、を備えていることを特徴とする。
請求項３記載の発明は、着脱可能なメモリカードに書き込まれた起動プログラムにより起動する画像形成装置において、メモリカードを挿入可能なカードスロットと、前記カードロットに起動プログラムが書き込まれた起動用メモリカードが挿入されていないことにより起動できない場合に、その旨を表示するＬＣＤ表示部が設けられている表示手段と、を備えていることを特徴とする。
【発明の効果】
【０００５】
本発明によれば、ブート（起動）用メモリカードが未挿入のため起動エラーになっていることを表示手段に表示することができるので、ユーザが起動エラーの要因を判断することが可能となる。
また、制御手段を備えていない表示手段が接続されている場合でも、操作パネル上のＬＥＤ、ＬＣＤにより、ユーザが起動エラーになっていることを判断することが可能となる。この場合表示手段のコストダウンを図ることができる。
【発明を実施するための最良の形態】
【０００６】
以下、本発明の実施の形態を図面に従って説明する。
図１は本発明の実施の形態に係る複合機のハードウェア構成を示したブロック図である。
ＣＰＵ１は全体の制御を司る。ＲＯＭ２は、複合機の制御手順を記憶しておく読み出し専用メモリである。ＲＡＭ３は、複合機の制御に際し必要なデータを一時保管するためのメモリである。ＨＤＤ４は、コピー機能、プリンタ機能、ファクシミリ機能、スキャナ機能で扱う画像データの蓄積用に使用する記憶装置である。メモリカードコントローラ５は、メモリカードの書き込み／読み込みを制御するほか、ブートプログラムが書き込まれたメモリカードからプログラムを読み出し、複合機を起動する。
ＬＡＮコントローラ６は、ネットワークから受信したデータのデコード、またネットワークへ送信するデータのエンコードを行ったり、送信フレームや受信フレームのバッファリングを行ったりするネットワーク制御用ＬＳＩである。トランス７は、ネットワークからのデータを送受信するためのトランスフォーマーである。
ＭＯＤＥＭ８は、ファクシミリ機能時に２値符号化された画情報を公衆回線に伝送可能とするための変調、および相手先からの変調された画情報の符号を元の２値符号に戻すための復調を実現する。ＮＣＵ９は、ファクシミリ機能時に相手先からのＤＴＭＦ信号を検出・解析するための検出器である。
圧縮／伸長器１０は、コピー機能時、スキャナ送信機能時またはファクシミリ送信機能時にスキャナ１１で読み取った画像またはプリンタ機能時にホストＰＣから受信した画像を圧縮し符号化するため、また蓄積された圧縮符号をプロッタ１２によりプリントできるように画像に復号化するためのものである。
スキャナ１１は、コピー機能やファクシミリの送信機能、スキャナ機能時に必要となるデータ読み取り部である。プロッタ１２は、プリンタ機能時の画像データやコピー機能時の読み取り画像データやファクシミリ受信した画像データを紙に記録するための書き込み部である。操作パネル１３は、ユーザが当該複合機を操作するために使用する入出力部である。また操作パネル１３は表示手段としての表示機能を備えている。
また本実施の形態では、操作パネル１３は制御部を搭載したＣＰＵ搭載型のものと、制御部を搭載しないＣＰＵ未搭載型のものを想定している。また、メモリカードからブートするのでＲＯＭ２は必ずしも設ける必要はない。
なお、本発明では、複合機に着脱するメモリカードとして、ＳＤメモリカード、ＭＭＣ、メモリスティック、コンパクトフラッシュ（登録商標）、スマートメディアなどを想定している。
【０００７】
［第１の実施の形態］
図２は、第１の実施の形態に係る複合機の動作を示す図である。第１の実施の形態では、メモリカードコントローラ５にメモリカードからのブート回路を設ける。また、操作パネル１３に対してブート用メモリカードが挿入されていないことを示す信号を出力する回路を設ける。さらに操作パネル１３にはＣＰＵ、ＲＯＭ、ＲＡＭ、ＬＣＤコントローラなどからなる制御部が搭載されているものとする。
カードスロットにブート用メモリカードが挿入されていなかった場合、電源がＯＮされると、操作パネル１３側は、操作パネル１３上のＣＰＵ（制御部）が各種初期化を行い、メインボード側からのコマンド待ち状態となる。
メインボード側は、メモリカードコントローラ５のブート回路がカードスロットにブート用メモリカードが挿入されているか否かを判断する。ブート用メモリカードが挿入されていないので無しと判断し、操作パネル１３に対してブート用メモリカードが挿入されていないことを示す信号を出力する。
これを受けた操作パネル１３は、ＣＰＵへの割り込み信号として入力し、ソフトウェアによりＲＡＭ上に起動エラー画面データを作成し、ＬＣＤコントローラを介してＬＣＤ表示部へブート用メモリカードが挿入されていないことを示す起動エラー画面を表示する。
【０００８】
［第２の実施の形態］
図３は第２の実施の形態に係る複合機の動作を示す図である。第２の実施の形態では、操作パネル１３には、ＣＰＵ、ＲＯＭ、ＲＡＭなどの制御部は搭載されておらず、メインボードとのインターフェイス回路、ＬＣＤコントローラのみが搭載されているものとする。また、操作パネル１３上にはＬＥＤ表示器が搭載されており、メインボードから出力されるブート用メモリカードが挿入されていないことを示すパルス信号にて直接ドライブできる回路構成となっている。
この場合も第１の実施の形態に係る複合機と同様に、カードスロットにブート用メモリカードが挿入されていなかった場合を考える。電源がＯＮされると、メインボード側は、メモリカードコントローラ５のブート回路がカードスロットにブート用メモリカードが挿入されているか否かを判断する。
ブート用メモリカードが挿入されていないので無しと判断し、操作パネル１３へ対してブート用メモリカードが挿入されていないことを示すパルス信号を出力する。このパルス信号にて操作パネル１３上のＬＥＤ表示器は点滅を表示する。
【０００９】
［第３の実施の形態］
図４は第３の実施の形態に係る複合機の動作を示す図である。第３の実施の形態では、第２の実施の形態と同様のＣＰＵ未搭載型の操作パネル１３を有するものとする。また、メインボード側に操作パネル１３を初期化する回路を設け、さらにブート用メモリカードが挿入されていない旨を表示するための画面データをあらかじめ用意しておく。
第１の実施の形態と同様にカードスロットにブート用メモリカードが挿入されていなかった場合を考える。電源がＯＮされると、メインボード側は、メモリカードコントローラ５のブート回路がカードスロットにブート用メモリカードが挿入されているか否かを判断する。
ブート用メモリカードが挿入されていないので無しと判断する。その後、操作パネル１３の初期化回路によって操作パネル１３上のＬＣＤコントローラなどを初期化する。そしてあらかじめ用意しておいたブート用メモリカードが挿入されていない旨を表示するための画面データを操作パネル１３へ送信する。
この起動エラー画面データを受信した操作パネル１３は、ＬＣＤコントローラを使い操作パネル１３上のＬＣＤ表示部へブート用メモリカードが挿入されていない旨を表示する。
【図面の簡単な説明】
【００１０】
【図１】本発明の実施の形態に係る複合機のハードウェア構成を示したブロック図である。
【図２】第１の実施の形態にかかる複合機の動作を示す図である。
【図３】第２の実施の形態にかかる複合機の動作を示す図である。
【図４】第３の実施の形態にかかる複合機の動作を示す図である。
【符号の説明】
【００１１】
１  ＣＰＵ、２  ＲＯＭ、３  ＲＡＭ、４  ＨＤＤ、５  メモリカードコントローラ、６  ＬＡＮコントローラ、７  トランス、８  ＭＯＤＥＭ、９  ＮＣＵ、１０  圧縮／伸長器、１１  スキャナ、１２  プロッタ、１３  操作パネル
【図１】
2006015603.tif 000003
【図２】
2006015603.tif 000004
【図３】
2006015603.tif 000005
【図４】
2006015603.tif 000006